(57)【要約】【課題】  日常生活に支障を与えずに手軽に痔の治療を行うことができる治療具を提供する。【解決手段】  痔治療具１は、クッション性のある素材で形成された凸部３の表面に多数の磁石４を配置したことを特徴とする。痔治療具１を、たとえば、椅子の座面に載置しておけば、椅子に座るだけで手軽に痔の治療を行うことができ、日常生活に支障を与えない。【選択図】  図１
2014236892.tif 000002
【特許請求の範囲】
【請求項１】
クッション性のある素材で形成された凸部の表面に多数の磁石を露出して配置したことを特徴とする痔治療具。
【請求項２】
前記凸部の断面形状が略正規分布形状であることを特徴とする請求項１に記載の痔治療具。
【請求項３】
前記磁石の磁力が前記凸部の頂部に向かうほど強くなるように前記磁石の配置が工夫されていることを特徴とする請求項１または２いずれかに記載の痔治療具。
【請求項４】
前記磁石の配置が前記凸部の頂部を中心にした回転対称配置、対数螺旋配置または黄金螺旋配置になっていることを特徴とする請求項１乃至３いずれかに記載の痔治療具。
【請求項５】
前記磁石の配置が対数螺旋配置または黄金螺旋配置の場合にその螺旋の向きが時計回り方向になっていることを特徴とする請求項４に記載の痔治療具。
【発明の詳細な説明】
【技術分野】
【０００１】
本発明は、痔治療具に関し、詳しくは、日常生活に支障を与えずに手軽に痔の治療を行うことができる治療具に関する。
【背景技術】
【０００２】
痔の治療には患部のマッサージや加温などの行為が効果的であることから、たとえば、ブラシによるマッサージ具（特許文献１）や患部圧迫式のサポータ具（特許文献２）などが知られている。
【先行技術文献】
【特許文献】
【０００３】
【特許文献１】特開平７−１１６２０９号公報
【特許文献２】登録実用新案第３０３０１９４号公報
【発明の概要】
【発明が解決しようとする課題】
【０００４】
しかしながら、ブラシによるマッサージ具は人前で使用できないため、日常生活に支障を与えずに治療行為を行うことができないという問題がある。また、圧迫式のサポータ具は装着が面倒であるという問題がある。
【０００５】
そこで、本発明は、日常生活に支障を与えずに手軽に痔の治療を行うことができる治療具を提供することにある。
【課題を解決するための手段】
【０００６】
本発明の痔治療具は、クッション性のある素材で形成された凸部の表面に多数の磁石を露出して配置したことを特徴とする。
【発明の効果】
【０００７】
本発明によれば、日常生活に支障を与えずに手軽に痔の治療を行うことができる治療具を提供することができる。
【図面の簡単な説明】
【０００８】
【図１】実施形態に係る痔治療具１の外観図である。
【図２】磁石４の拡大図である。
【図３】磁石４を対数螺旋配置にした例を示す図である。
【図４】痔治療具１の変形例を示す図である。
【発明を実施するための形態】
【０００９】
以下、本発明の実施形態を、図面を参照しながら説明する。
図１は、実施形態に係る痔治療具１の外観図である。この図において、（ａ）は正面から見た外観を示し、（ｂ）は上から俯瞰した外観を示している。
【００１０】
痔治療具１は、台座部２と、その台座部２に突設された凸部３とを有しており、凸部３の表面に多数の小さな永久磁石（以下、単に磁石という）４を露出して配置している。
【００１１】
台座部２は、図示の例では所定厚みの円板形状を有しているが、この形状（所定厚みの円板形状）に限定されない。痔治療具１を椅子の座面や床面等の上に載置可能な形状であればよく、たとえば、所定厚みの矩形状などであってもよい。また、台座部２の上面は、この図では底面と並行になっているが、たとえば、墳墓状等の曲面であってもよい。あるいは、台座部２の上面は、凸部３の裾野をなだらかに延長させた形状（破線２ａ参照）になっていてもよい。この場合、台座部２の厚みをできるだけ薄くする（破線２ｂ参照）ようにしてもよい。台座部２の底面は、平らな面であればよいが、好ましくは、椅子の座面や床面等への載置の際に滑り難い加工が施されていること、あるいは、台座部２に滑りにくい素材が用いられていること、または、台座部２の底面に滑りにくい部材が貼り付けされていることが望ましい。
【００１２】
凸部３は、頂部に丸みを持たせた断面形状を有している。この断面形状は、患部（痔を煩っている肛門または肛門を含むその周囲の部分）に違和感なく接することができ、且つ、当該部に適切な圧力を加えることができる形状であればよく、特に好ましい形状は正規分布形状（左右対称の釣鐘型形状のこと）またはそれに類似した形状である。以下、正規分布形状またはそれに類似した形状のことを略正規分布形状ということにする。凸部３の断面形状を略正規分布形状にすると、体（とりわけ患部）にフィットした自然なカーブで患部のマッサージ性を高めることができる。
【００１３】
さらに凸部３は、クッション性のある弾性体で構成されていることが好ましい。弾性体としては、たとえば、ゴムやウレタン、スポンジ、シリコンなどを使用することができる。また、凸部３を弾性力の異なる複数の弾性体で構成してもよい。この場合、凸部３の中心部に硬めの弾性体を使用し、外周に向かうにつれて徐々に柔らかくなる弾性体を配置したりしてもよい。このようにすると、凸部３の形状を保ちつつ、患部に対して優しいフィット感を与えることができる。
【００１４】
また、凸部３の表面を不図示の保護カバーで覆ってもよい。この保護カバーを交換できるようにしておけば、凸部３の清潔を保つことができる。
【００１５】
台座部２についてもクッション性のある弾性体で構成してもよいが、これは必須ではない。前記のとおり台座部２は、痔治療具１を椅子の座面や床面等の上に載置するためのものであり、「載置」の点からすると、硬めの材質を用いることがふさわしいともいえるからである。
【００１６】
台座部２にも弾性力を持たせるかどうかは、次の視点で考えればよい。すなわち、凸部３の弾性力だけで患部に対する適切なマッサージを行うことができるのであれば、台座部２については「載置」重視で硬めの材質としてもかまわないが、そうでなければ、台座部２についてもある程度の弾性力を考慮すればよい。
【００１７】
また、図示の例では、台座部２と凸部３を別体としているが、これに限定されない。台座部２と凸部３を一体のものとして形成してもよい。
【００１８】
次に磁石４について説明すると、磁石４は、患部に対して磁気効果（血行の促進等）による治療を行うためのものであり、図示の例では、ほぼ同等の磁力を持つ小さな円盤状の強磁性永久磁石（たとえば、ネオジム磁石等）を多数、凸部３の外周表面に露出して配置している。
【００１９】
図２は、磁石４の拡大図である。凸部３の外周表面に配置された全ての磁石４は一方極（Ｎ極）を凸部３の外側に向けている（露出させている）が、これは、磁極を揃えることにより、患部への磁気治療効果を促進するためである。なお、図とは逆に他方極（Ｓ極）を凸部３の外側に向けてもかまわない。全ての磁石４の同極を凸部３の外側に向ければよい。
【００２０】
磁石４の配置は以下の考え方に従って行う。すなわち、痔は鬱血部とその周囲部からなり、鬱血部には強目の磁力を、また、周囲部にはそれよりも弱目の磁力を与えることが望ましい。さらに、周囲部は鬱血部から離れるにつれて血流悪化の状態が緩和されているので、周囲部に対する磁力は鬱血部から離れるにつれて弱くなるようにすることが望ましい。
【００２１】
図１に示す磁石４の配置は、この考え方に従った一つの例である。以下、この例を「回転対称配置」ということにする。回転対称配置は、凸部３の側面に沿って複数（図示の例では３つ）の同心円５〜７を描き、それぞれの同心円５〜７の上に磁石４を配置するとともに、凸部３の頂部に向かうにつれて磁石４の間隔を狭くしたものである。このようにすると、鬱血部には強目の磁力を、また、周囲部にはそれよりも弱目の磁力を与えることができ、さらに、周囲部に対する磁力を鬱血部から離れるにつれて徐々に弱くすることができる。
【００２２】
なお、図示の「回転対称配置」は３つの同心円５〜７と、同心円５の上に配置された８つの磁石４と、同心円６の上に配置された８つの磁石４と、同心円７の上に配置された６つの磁石４とを有しているが、これらは一例に過ぎない。同心円の数を増やしたり減らしたりしてもよい。または、同心円の間隔を不等間隔にしてもよいし、あるいは、同心円上の磁石４の数も増やしたり減らしたりしてもよい。
【００２３】
磁石４の配置は上記の回転対称配置に限定されない。鬱血部に強目の磁力を、周囲部にそれよりも弱目の磁力を与えることができ、さらに、周囲部に対する磁力を鬱血部から離れるにつれて徐々に弱くすることができる配置であればよく、たとえば、対数螺旋配置や黄金螺旋配置であってもよい。
【００２４】
図３は、磁石４を対数螺旋配置にした例を示す図である。螺線８の上に多数の磁石４を配置している。対数螺旋（たいすうらせん、英：logarithmic spiral）とは、自然界によく見られる螺旋の一種である。等角螺旋（とうかくらせん、英：equiangular spiral）、ベルヌーイの螺旋ともいい、「螺旋」の部分は螺線、渦巻線（うずまきせん）、匝線（そうせん）などとも書く。
【００２５】
より厳密には、極座標表示（ｒ，θ）で「ｒ＝ａｅｂθ」と表される平面曲線を対数螺旋という。ここに、ｅはネイピア数、ａ，ｂは固定された実数である。ｒが原点からの距離を表すため、ａは正でなければならないが、ｂは正、負のどちらでも構わない。正の場合は中心から離れる際に左曲がりである螺旋になり、負の場合は右曲がりの螺旋になる。裏返すことによって左曲がりを右曲がりにできるため、ｂ＞０に限った定義をすることもある。定義式において形式的にｂ＝０とすると、半径ａの円となる。
【００２６】
定義式は「θ＝（１／ｂ）ｌｏｇ（ｒ／ａ）」とも書ける。歴史的には指数関数よりも対数の方が先に認知されていたので、「対数螺旋」と呼ばれるようになった。ｂが正（負）の場合、ｒが０に近付くとθはいくらでも小さく（大きく）なるので、中心近くでは無限回渦巻いている。
【００２７】
黄金螺旋は、対数螺旋の一形態である。正確には対数螺旋のθが約１７．０３２３９度のものを黄金螺旋という。
【００２８】
このように、磁石４を対数螺旋配置や黄金螺旋配置にしても、鬱血部に強目の磁力を、周囲部にそれよりも弱目の磁力を与えることができ、さらに、周囲部に対する磁力を鬱血部から離れるにつれて徐々に弱くすることができる。
【００２９】
磁石４を対数螺旋配置や黄金螺旋配置にした場合、螺旋を時計回り方向（図３の螺線８を参照）とすることが望ましい。時計回り方向はチャクラの向きとされ、チャクラの回転促進効果を期待できるからである。チャクラとは多次元的な精神体を持つ人間における生理体・流動体に大きな影響を与えている原点のことであり、インドの古語（サンスクリット語）で直訳すると「車輪」や「回る」という意味をもつ。チャクラは人間の精神的エネルギーの中枢を司り、身体の中心線上、経絡に重なる位置にあり、健康なチャクラは時計回り方向に回転し、ユニバーサル・エネルギー・フィールドからエネルギーを吸い込んで、絶えず私たちの全体を活性化しているといわれている。磁石４の配置をチャクラの向きに揃えることにより、より一層、痔の治療効果の促進を期待できる。
【００３０】
あるいは、多数の磁石４を均等配置してもよい。この場合、「鬱血部に強目の磁力を、周囲部にそれよりも弱目の磁力を与え、かつ、周囲部に対する磁力を鬱血部から離れるにつれて徐々に弱くする」ためには、多数の磁石４の磁力を各々異ならせる必要がある。すなわち、凸部２の頭頂部付近には強い磁力を持つ磁石４を配置するとともに、頭頂部から遠ざかるにつれて徐々に磁力が弱くなる磁石４を配置する必要がある。
【００３１】
図４は、痔治療具１の変形例を示す図である。この図に示すように、凸部２の内部に発熱体９を入れてもよい。発熱体９は、たとえば、バッテリ駆動の温熱源であってもよく、あるいは、無電源で遠赤外線等の熱線を発生する発熱体であってもよい。または、温水を入れたゴム等の容器であってもよい。温熱効果によって痔の治療効果を高めることができる。もしくは、発熱体９の代わりに（または発熱体９とともに）バイブレータ等の振動体を入れてもよい。患部をマッサージして治療効果を高めることができる。
【００３２】
実施形態では多数の小さな磁石４を用いているが、これに限定されない。たとえば、テープ状の磁石であってもよく、あるいは、凸部３に金属粒子等の磁性体を練り込み、その磁性体に磁気を帯びさせたものであってもよい。
【００３３】
実施形態の痔治療具１は、以上の構成にしたので、以下に列挙する効果を奏することができる。
（１）凸部３をクッション性の素材で形成すると共に、その凸部３の断面形状を略正規分布形状にしたので、体（とりわけ患部）にフィットした自然なカーブで患部のマッサージ性を高めることができる。
（２）凸部３の表面に露出して配置した磁石４の磁気効果により、患部の血行を促進することができる。
（３）特に磁石４が凸部３の表面に“露出”しているので、患部に対して効果的な磁力を与えることができる。
（４）全ての磁石４の極性を揃えて凸部３の外側に向くようしたので、患部に対して同極性の磁力線を照射することができ、より一層患部の血行を促進することができる。
（５）磁石４の配置を回転対称配置、対数螺旋配置または黄金螺旋配置としたので、鬱血部に強目の磁力を、周囲部にそれよりも弱目の磁力を与えることができ、さらに、周囲部に対する磁力を鬱血部から離れるにつれて徐々に弱くすることができる。
（６）磁石４の配置を対数螺旋配置または黄金螺旋配置とした場合には、その螺旋の方向をチャクラと同方向の時計回り方向とするので、チャクラの回転促進効果に伴う痔の治療効果の改善を期待することができる。
（７）痔治療具１を、たとえば、椅子の座面に載置しておけば、椅子に座るだけで手軽に痔の治療を行うことができ、日常生活に支障を与えない。
（８）痔治療具１を小型にして持ち運び可能にすることができ、どこでも手軽に痔の治療を行うことができる。
【００３４】
以下、本発明の特徴を付記する。
上記の実施形態の一部又は全部は、以下の付記のようにも記載されうるが、以下には限られない。
（付記１）
付記１は、クッション性のある素材で形成された凸部の表面に多数の磁石を露出して配置したことを特徴とする痔治療具である。
（付記２）
付記２は、前記凸部の断面形状が略正規分布形状であることを特徴とする付記１に記載の痔治療具である。
（付記３）
付記３は、前記磁石の磁力が前記凸部の頂部に向かうほど強くなるように前記磁石の配置が工夫されていることを特徴とする付記１または２いずれかに記載の痔治療具である。
（付記４）
付記４は、前記磁石の配置が前記凸部の頂部を中心にした回転対称配置、対数螺旋配置または黄金螺旋配置になっていることを特徴とする付記１乃至３いずれかに記載の痔治療具である。
（付記５）
付記５は、前記磁石の配置が対数螺旋配置または黄金螺旋配置の場合にその螺旋の向きが時計回り方向になっていることを特徴とする付記４に記載の痔治療具である。
【符号の説明】
【００３５】
１  痔治療具
２  台座部
３  凸部
４  磁石
【図１】
2014236892.tif 000003
【図２】
2014236892.tif 000004
【図３】
2014236892.tif 000005
【図４】
2014236892.tif 000006